(57)【要約】【課題】  家庭および車両の異なる部分で１つより多いラジオ受信機を有する必要性をなくす。【解決手段】  複数のＡＭ／ＦＭチューナを有するラジオ受信機。アンテナに接続された第１および第２のチューナであって、第１および第２のチューナは、第１および第２の合成オーディオ出力信号を生成する。デュアル入力デジタル信号プロセッサは、第１のチューナおよび第２のチューナに接続され得る。第１および第２の合成オーディオ出力信号は、デュアル入力デジタル信号プロセッサによりプロセスされることにより、第１のオーディオ出力信号および第２のオーディオ出力信号を生成する。デュアル入力デジタル信号プロセッサに接続された第１および第２のオーディオ電力増幅器であって、第１および第２のオーディオ電力増幅器は、第１および第２のオーディオ出力信号を受け取る。【選択図】図１
2005244990.tif 000002
【特許請求の範囲】
【請求項１】
アンテナに接続された第１のチューナであって、第１のオーディオ信号を生成する第１のチューナと、
アンテナに接続された第２のチューナであって、第２のオーディオ信号を生成する第２のチューナと、
該第１チューナおよび該第２のチューナに接続されたデジタル信号プロセッサであって、
該第１のオーディオ信号および該第２のオーディオ信号は、該デジタル信号プロセッサによってプロセスされることにより、第１のオーディオ出力信号および第２のオーディオ出力信号を生成する、デジタル信号プロセッサと、
該デジタル信号プロセッサに接続された第１のオーディオ電力増幅器であって、該第１のオーディオ出力信号を受け取るように構成された第１のオーディオ電力増幅器と、
該デジタル信号プロセッサに接続された第２のオーディオ電力増幅器であって、該第２のオーディオ出力信号を受け取るように構成された第２のオーディオ電力増幅器と
を備えたラジオ受信機。
【請求項２】
前記第１のチューナおよび前記第２のチューナに接続されたコントロールユニットをさらに含む、請求項１に記載のラジオ受信機。
【請求項３】
前記コントロールユニットが、前記第１のチューナを第１の選択された周波数に設定するために用いられる第１のチューナコントロール出力を生成するように動作可能である、請求項２に記載のラジオ受信機。
【請求項４】
前記コントロールユニットが、前記第２のチューナを第２の選択された周波数に設定するために用いられる第２のチューナコントロール出力を生成するように動作可能である、請求項３に記載のラジオ受信機。
【請求項５】
信号品質出力信号が、前記第１のチューナによってコントロールユニットに提供される、請求項１に記載のラジオ受信機。
【請求項６】
第１の周波数の設定が、所定の信号品質のしきい値を下回るとき、前記コントロールユニットは、前記第１のチューナを他の周波数の設定に調整するように動作可能である、請求項５に記載のラジオ受信機。
【請求項７】
信号品質出力信号が、前記第２のチューナによってコントロールユニットに提供される、請求項１に記載のラジオ受信機。
【請求項８】
第１の周波数の設定が、所定の信号品質のしきい値を下回るとき、前記コントロールユニットは、前記第２のチューナを他の周波数の設定に調整するように動作可能である、請求項７に記載のラジオ受信機。
【請求項９】
前記第１のチューナおよびコントロールユニットに接続された第１のラジオデータシステムデコーダをさらに備えた、請求項１に記載のラジオ受信機。
【請求項１０】
前記第１のラジオデータシステムデコーダが、前記第１のチューナに関連する前記コントロールユニットにデータを提供するように構成されている、請求項９に記載のラジオ受信機。
【請求項１１】
前記データが、前記コントロールユニットに接続されたディスプレイ上に表示される、請求項１０に記載のラジオ受信機。
【請求項１２】
前記第２のチューナおよび前記コントロールユニットに接続された第２のラジオデータシステムデコーダをさらに備えた、請求項９に記載のラジオ受信機。
【請求項１３】
前記第２のラジオデータシステムデコーダが、前記第２のチューナに関連する前記コントロールユニットにデータを提供するように構成されている、請求項１２に記載のラジオ受信機。
【請求項１４】
前記データが、前記コントロールユニットに接続されるディスプレイ上に表示される、請求項１３に記載のラジオ受信機。
【請求項１５】
前記第１のオーディオ電力増幅器が、少なくとも１つのスピーカに接続された、請求項１に記載のラジオ受信機。
【請求項１６】
前記第２のオーディオ電力増幅器が、ヘッドホンジャックに接続された、請求項１に記載のラジオ受信機。
【請求項１７】
前記第１のオーディオ電力増幅器が、車両スピーカシステムに接続されており、前記第２のオーディオ電力増幅器がヘッドホンジャックに接続された、請求項１に記載のラジオ受信機。
【請求項１８】
コントロールユニットと、
該コントロールユニットに接続される第１のチューナであって、第１の周波数の設定にチューニングされることが可能な第１のチューナと、
該コントロールユニットに接続される第２のチューナであって、第２の周波数の設定にチューニングされることが可能な第２のチューナと、
該第１のチューナおよび該第２のチューナに接続されたデジタル信号プロセッサであって、該第１のチューナの該第１の周波数の設定の関数として第１のオーディオ出力信号を生成し、かつ該第２のチューナの該第２の周波数の設定の関数として第２のオーディオ出力信号を生成するように構成されたデジタル信号プロセッサと、
該デジタル信号プロセッサに接続された第１のオーディオ電力増幅器であって、該第１のオーディオ出力信号を受け取るように構成された第１のオーディオ電力増幅器と、
該デジタル信号プロセッサに接続された第２のオーディオ電力増幅器であって、該第２のオーディオ出力信号を受け取るように構成された第２のオーディオ電力増幅器と
を備えたラジオ受信機。
【請求項１９】
前記コントロールユニットは、前記第１および前記第２のチューナを前記第１および前記第２の周波数の設定にチューニングするように構成されている、請求項１８に記載のラジオ受信機。
【請求項２０】
前記第１のチューナおよび前記コントロールユニットに接続されたラジオデータシステムデコーダをさらに備えた、請求項１８に記載のラジオ受信機。
【請求項２１】
前記ラジオデータシステムデコーダは、前記第１の周波数の設定に対する代替の周波数リストを前記コントロールユニットに提供するように構成されている、請求項２０に記載のラジオ受信機。
【請求項２２】
前記第１のチューナの信号品質指標が、所定の品質のレベルを下回るとき、前記コントロールユニットが第１のチューナを代替の周波数にチューニングするように構成されている、請求項２１に記載のラジオ受信機。
【請求項２３】
前記ラジオデータシステムデコーダは、前記第１の周波数の設定に関連付けられた前記コントロールユニットにデータを提供するように構成されている、請求項２０に記載のラジオ受信機。
【請求項２４】
前記データは、前記コントロールユニットに接続されたディスプレイ上に表示される、請求項２３に記載のラジオ受信機。
【請求項２５】
前記第２のチューナおよび前記コントロールユニットに接続されたラジオデータシステムデコーダをさらに備えた、請求項１８に記載のラジオ受信機。
【請求項２６】
前記ラジオデータシステムデコーダが、前記コントロールユニットに前記第２の周波数の設定に対する代替の周波数のリストを提供するように構成されている、請求項２５に記載のラジオ受信機。
【請求項２７】
前記第２のチューナの信号品質指標が、所定の品質のレベルを下回るとき、前記コントロールユニットが第２のチューナを代替の周波数へチューニングするように構成されている、請求項２６に記載のラジオ受信機。
【請求項２８】
前記ラジオデータシステムデコーダが、前記第２の周波数の設定に関連付けられた前記コントロールユニットにデータを提供するように構成されている、請求項２５に記載のラジオ受信機。
【請求項２９】
前記データが、前記コントロールユニットに接続されたディスプレイ上に表示される、請求項２８に記載のラジオ受信機。
【請求項３０】
前記第１のオーディオ電力増幅器が、スピーカシステムに接続されており、前記第２のオーディオ電力増幅器がヘッドホンジャックに接続された、請求項１８に記載のラジオ受信機。
【請求項３１】
第１のチューナを第１の周波数の設定および第２のチューナを第２の周波数の設定にチューニングする手段と、
該第１の周波数の設定から受け取られる第１のラジオ信号の関数として第１のオーディオ出力信号を生成し、該第２の周波数の設定から受け取られる第２のラジオ信号の関数として第２のオーディオ出力信号を生成する手段と
を備えたラジオ受信機。
【請求項３２】
少なくとも１つのスピーカ上で再生されるべき前記第１のオーディオ出力信号を増幅する手段をさらに備えた、請求項３１に記載のラジオ受信機。
【請求項３３】
ヘッドホンジャックのための前記第２のオーディオ出力信号を増幅する手段をさらに備えた、請求項３２に記載のラジオ受信機。
【請求項３４】
前記第１のもしくは第２のラジオ信号が、所定の品質のレベルを下回るとき、前記第１および第２のチューナを再チューニングする手段をさらに備えた、請求項３１に記載のラジオ受信機。
【発明の詳細な説明】
【技術分野】
【０００１】
本発明は、ラジオ受信機全般に関し、詳細には、個々に別々の周波数の設定にチューニングすることが可能な複数のチューナを有するラジオ受信機に関する。
【背景技術】
【０００２】
現在のラジオ受信機は、オーディオデジタル信号プロセッサに接続され得るチューナを含む。オーディオデジタル信号プロセッサは、少なくとも１つのスピーカを駆動するために通常用いられるオーディオ電力増幅器に接続され得る。チューナは、また周波数の設定にチューナをチューニングするために用いられ得るコントロールユニットに接続され得る。したがって、特定の局もしくは周波数の設定にチューニングされるとき、ラジオ受信機は、スピーカシステムもしくはヘッドホンといったあるタイプのオーディオ再生装置を通してプログラムを再生する。
【０００３】
簡潔に上述されたように、家庭内および車両内の使用に指定されるラジオ受信機は、１つの局もしくは１つのプログラムだけを一度に聞けることを可能にする。同じ部屋、家庭の他の部屋もしくは車両内の他の人が、異なるプログラムもしくは局を聞くことを所望するとき、彼らは、通常ヘッドホン付きの携帯型ラジオといったポータブル装置を使用したり、もしくは家庭の別の場所に置かれた第２のラジオ受信機を使用することを強いられる。同時に複数の局にチューニングされることが可能な複数のチューナを含み、これによって個々のリスナーが自分自身のプログラムもしくは局を選択することを可能にするラジオ受信機の必要性が存在する。
【発明の開示】
【発明が解決しようとする課題】
【０００４】
本発明の課題は、家庭および車両の異なる部分で１つより多いラジオ受信機を有する必要性をなくすことである。
【課題を解決するための手段】
【０００５】
本発明は、ラジオ受信機のユーザが同時に１つより多いプログラムもしくはラジオ局にチューニングすることを可能にする複数のＡＭ／ＦＭチューナを含むラジオ受信機を開示する。ラジオ受信機は、コントロールユニットに接続され得る少なくとも２つのチューナを含み得る。コントロールユニットは、ラジオ受信機のユーザがチューナを別々のラジオ局にチューニングすることを可能にする。したがって、２つのチューナを有するラジオ受信機の場合、一部のリスナーは、１つのラジオ局を聴き、他のリスナーは、同時に他のラジオ局を聴取し得る。
【０００６】
コントロールユニットは、またチューナのそれぞれによって受け取られている信号の信号品質をモニタするために用いられ得る。品質のレベルが、所定の品質のしきい値を下回るとき、コントロールユニットは、低い受信の品質を被っているチューナを代替の周波数に切り替え得る。コントロールユニットは、電界の強さ、付近のチャンネル障害、多経路受信およびエラービット率等をチェックすることによって信号品質をモニタし得る。
【０００７】
ラジオ受信機のチューナは、オーディオデジタル信号プロセッサ（“ＤＳＰ”）の入力およびラジオデータシステム（“ＲＤＳ”）デコーダの入力へ供給され得る合成オーディオ出力信号を生成し得る。合成オーディオ出力信号は、ラジオ受信機によって用いられ得るＲＤＳデータを包含し得る。ＲＤＳデコーダは、コントロールユニットが正確に所望されるプログラムもしくは周波数の設定にチューナをチューニングすることを可能にし、また特定の局またはプログラムのための代替の周波数のを示すデータを受け取り得る。ＲＤＳデコーダは、またコントロールユニットがプログラムサービスネーム、送信周波数を決定し、またそれぞれの局もしくは周波数に関連付けられ得る他のタイプのラジオデータを決定することを可能にする。旅行情報は、また第１および第２のＲＤＳデコーダによって受け取られるＲＤＳデータによって提供され得る。
【０００８】
チューナからオーディオＤＳＰに供給される合成オーディオ出力信号は、オーディオＤＳＰによってプロセスされ、オーディオ出力信号に変換される。それから、オーディオＤＳＰのオーディオ出力信号は、オーディオＤＳＰによって生成される信号を増幅するオーディオ電力増幅器に入力として供給される。オーディオ電力増幅器の出力は、スピーカシステム、もしくは１つより多いスピーカシステムもしくは複数のヘッドホンジャックへ接続され得る。したがって、ここで開示されるラジオ受信機は、複数のリスナーがそれぞれ自分自身のポータブルラジオを有する必要なしに自分の好みのラジオ局を聴取することを可能にする。
【０００９】
本発明の他のシステム、方法、特徴および利点は、以下の図面および詳しい記載を調べてみると当業者にとって明らかである。すべてのこのような追加のシステム、方法、特徴および利点が、この記載内に含まれており、本発明の範囲内であり、本発明の請求項によって保護されることが意図される。
【００１０】
従って、１つの局面において、本発明は、アンテナに接続された第１のチューナであって、第１のオーディオ信号を生成する第１のチューナと、
アンテナに接続された第２のチューナであって、第２のオーディオ信号を生成する第２のチューナと、
該第１チューナおよび該第２のチューナに接続されたデジタル信号プロセッサであって、
該第１のオーディオ信号および該第２のオーディオ信号は、該デジタル信号プロセッサによってプロセスされることにより、第１のオーディオ出力信号および第２のオーディオ出力信号を生成する、デジタル信号プロセッサと、
該デジタル信号プロセッサに接続された第１のオーディオ電力増幅器であって、該第１のオーディオ出力信号を受け取るように構成された第１のオーディオ電力増幅器と、
該デジタル信号プロセッサに接続された第２のオーディオ電力増幅器であって、該第２のオーディオ出力信号を受け取るように構成された第２のオーディオ電力増幅器と
を備えたラジオ受信機、を提供する。
【００１１】
１つの実施形態において、本発明のラジオ受信機は、前記第１のチューナおよび前記第２のチューナに接続されたコントロールユニットをさらに含む。
【００１２】
好ましい実施形態において、前記コントロールユニットは、前記第１のチューナを第１の選択された周波数に設定するために用いられる第１のチューナコントロール出力を生成するように動作可能である。
【００１３】
さらに好ましい実施形態において、前記コントロールユニットは、前記第２のチューナを第２の選択された周波数に設定するために用いられる第２のチューナコントロール出力を生成するように動作可能である。
【００１４】
別の実施形態において、信号品質出力信号は、前記第１のチューナによってコントロールユニットに提供される。
【００１５】
好ましい実施形態において、第１の周波数の設定が、所定の信号品質のしきい値を下回るとき、前記コントロールユニットは、前記第１のチューナを他の周波数の設定に調整するように動作可能である。
【００１６】
別の実施形態において、信号品質出力信号は、前記第２のチューナによってコントロールユニットに提供される。
【００１７】
好ましい実施形態において、第１の周波数の設定が、所定の信号品質のしきい値を下回るとき、前記コントロールユニットは、前記第２のチューナを他の周波数の設定に調整するように動作可能である。
【００１８】
別の実施形態において、本発明のラジオ受信機は、前記第１のチューナおよびコントロールユニットに接続された第１のラジオデータシステムデコーダをさらに備える。
【００１９】
好ましい実施形態において、前記第１のラジオデータシステムデコーダは、前記第１のチューナに関連する前記コントロールユニットにデータを提供するように構成されている。
【００２０】
さらに好ましい実施形態において、前記データは、前記コントロールユニットに接続されたディスプレイ上に表示される。
【００２１】
別の実施形態において、本発明のラジオ受信機は、前記第２のチューナおよび前記コントロールユニットに接続された第２のラジオデータシステムデコーダをさらに備える。
【００２２】
好ましい実施形態において、前記第２のラジオデータシステムデコーダは、前記第２のチューナに関連する前記コントロールユニットにデータを提供するように構成されている。
【００２３】
さらに好ましい実施形態において、前記データは、前記コントロールユニットに接続されるディスプレイ上に表示される。
【００２４】
別の実施形態において、前記第１のオーディオ電力増幅器は、少なくとも１つのスピーカに接続される。
【００２５】
別の実施形態において、前記第２のオーディオ電力増幅器は、ヘッドホンジャックに接続される。
【００２６】
別の実施形態において、前記第１のオーディオ電力増幅器は、車両スピーカシステムに接続されており、前記第２のオーディオ電力増幅器がヘッドホンジャックに接続される。
【００２７】
別の局面において、本発明は、
コントロールユニットと、
該コントロールユニットに接続される第１のチューナであって、第１の周波数の設定にチューニングされることが可能な第１のチューナと、
該コントロールユニットに接続される第２のチューナであって、第２の周波数の設定にチューニングされることが可能な第２のチューナと、
該第１のチューナおよび該第２のチューナに接続されたデジタル信号プロセッサであって、該第１のチューナの該第１の周波数の設定の関数として第１のオーディオ出力信号を生成し、かつ該第２のチューナの該第２の周波数の設定の関数として第２のオーディオ出力信号を生成するように構成されたデジタル信号プロセッサと、
該デジタル信号プロセッサに接続された第１のオーディオ電力増幅器であって、該第１のオーディオ出力信号を受け取るように構成された第１のオーディオ電力増幅器と、
該デジタル信号プロセッサに接続された第２のオーディオ電力増幅器であって、該第２のオーディオ出力信号を受け取るように構成された第２のオーディオ電力増幅器と
を備えたラジオ受信機、を提供する。
【００２８】
１つの実施形態において、前記コントロールユニットは、前記第１および前記第２のチューナを前記第１および前記第２の周波数の設定にチューニングするように構成されている。
【００２９】
別の実施形態において、本発明のラジオ受信機は、前記第１のチューナおよび前記コントロールユニットに接続されたラジオデータシステムデコーダをさらに備える。
【００３０】
好ましい実施形態において、前記ラジオデータシステムデコーダは、前記第１の周波数の設定に対する代替の周波数リストを前記コントロールユニットに提供するように構成されている。
【００３１】
さらに好ましい実施形態において、前記第１のチューナの信号品質指標は、所定の品質のレベルを下回るとき、前記コントロールユニットが第１のチューナを代替の周波数にチューニングするように構成されている。
【００３２】
好ましい実施形態において、前記ラジオデータシステムデコーダは、前記第１の周波数の設定に関連付けられた前記コントロールユニットにデータを提供するように構成されている。
【００３３】
さらに好ましい実施形態において、前記データは、前記コントロールユニットに接続されたディスプレイ上に表示される。
【００３４】
別の実施形態において、本発明のラジオ受信機は、前記第２のチューナおよび前記コントロールユニットに接続されたラジオデータシステムデコーダをさらに備える。
【００３５】
好ましい実施形態において、前記ラジオデータシステムデコーダは、前記コントロールユニットに前記第２の周波数の設定に対する代替の周波数のリストを提供するように構成されている。
【００３６】
さらに好ましい実施形態において、前記第２のチューナの信号品質指標は、所定の品質のレベルを下回るとき、前記コントロールユニットが第２のチューナを代替の周波数へチューニングするように構成されている。
【００３７】
別の好ましい実施形態において、前記ラジオデータシステムデコーダは、前記第２の周波数の設定に関連付けられた前記コントロールユニットにデータを提供するように構成されている。
【００３８】
さらに好ましい実施形態において、前記データは、前記コントロールユニットに接続されたディスプレイ上に表示される。
【００３９】
別の実施形態において、前記第１のオーディオ電力増幅器は、スピーカシステムに接続されており、前記第２のオーディオ電力増幅器がヘッドホンジャックに接続されている。
【００４０】
別の局面において、本発明は、第１のチューナを第１の周波数の設定および第２のチューナを第２の周波数の設定にチューニングする手段と、
該第１の周波数の設定から受け取られる第１のラジオ信号の関数として第１のオーディオ出力信号を生成し、該第２の周波数の設定から受け取られる第２のラジオ信号の関数として第２のオーディオ出力信号を生成する手段と
を備えたラジオ受信機、を提供する。
【００４１】
１つの実施形態において、本発明のラジオ受信機は、少なくとも１つのスピーカ上で再生されるべき前記第１のオーディオ出力信号を増幅する手段をさらに備える。
【００４２】
好ましい実施形態において、本発明のラジオ受信機は、ヘッドホンジャックのための前記第２のオーディオ出力信号を増幅する手段をさらに備える。
【００４３】
別の実施形態において、前記第１のもしくは第２のラジオ信号は、所定の品質のレベルを下回るとき、前記第１および第２のチューナを再チューニングする手段をさらに備える。
【発明を実施するための最良の形態】
【００４４】
本発明は、以下の図および説明を参照してより理解され得る。図中の構成要素は、本発明の原理を示すことに重点が置かれ、大きさは重要ではない。
【００４５】
図１では、複数のＡＭ／ＦＭチューナ１０２、１０４を有するラジオ受信機１００が示される。受信アンテナ１０６は、第１および第２のＡＭ／ＦＭチューナ１０２、１０４に接続され得える。受信アンテナ１０６は、入ってくる電磁界を、その入ってくる電磁界と同じ周波数を有する交流に変換する特別な変換器であり得る。第１および第２のＡＭ／ＦＭチューナ１０２、１０４は、周波数バンドの多くの信号から１つの信号を選択するよう設定され得る回路もしくは装置であり得る。２つのＡＭ／ＦＭチューナ１０２、１０４は、図１に示されるラジオ受信機１００に示されるが、追加のＡＭ／ＦＭチューナ１０２、１０４が他の例のラジオ受信機１００に含まれ得ることが想像される。
【００４６】
第１および第２のＡＭ／ＦＭチューナ１０２、１０４は、ラジオ受信機１００のコントロールユニット１０８に接続され得る。コントロールユニット１０８は、ラジオ受信機１００の動作および機能的局面を制御するために用いられ得る。示されるように、コントロールユニット１０８の第１のチューナコントロール出力１１０は、第１のＡＭ／ＦＭチューナ１０２に接続され得る。第１のＡＭ／ＦＭチューナ１０２の第１の信号品質出力１１２は、またコントロールユニット１０８に接続され得る。さらに、コントロールユニット１０８の第２のチューナコントロール出力１１４は、第２のＡＭ／ＦＭチューナ１０４に接続され得る。第２のＡＭ／ＦＭチューナ１０４の第２の信号品質出力１１６は、コントロールユニット１０８に接続され得る。
【００４７】
第１および第２のチューナコントロール出力１１０、１１４は、ラジオ受信機１００によって用いられることにより、それぞれの周波数の設定に第１および第２のＡＭ／ＦＭチューナ１０２、１０４を設定し、もしくはチューニングする。各チューナ１０２および１０４は、１つより多いラジオ局がラジオ受信機１００のユーザによって聴取し得るようにそれ自身のそれぞれの周波数もしくはラジオ局に設定されることが可能である。第１および第２の信号品質出力１１２、１１６は、コントロールユニット１０８に信号品質読み取り値、すなわちデータを提供し得る。それから、信号品質が所定の品質のレベルを下回るとき、コントロールユニット１０８は、代替の周波数へ切り替えることを決定し得る。
【００４８】
デュアルオーディオＤＳＰ１１８は、第１および第２のＡＭ／ＦＭチューナ１０２、１０４に接続され得る。特に、第１のＡＭ／ＦＭチューナ１０２のチューニングされた第１のオーディオ出力、すなわち合成オーディオ出力１２０が、デュアルオーディオＤＳＰ１１８の入力に接続され得る。第２のＡＭ／ＦＭチューナ１０４のチューニングされた第２のオーディオ出力、すなわち合成オーディオ出力１２２が、デュアルオーディオＤＳＰ１１８の他の入力に接続され得る。第１および第２の合成オーディオ出力１２０、１２２は、デュアルオーディオＤＳＰ１１８によってプロセスされ、オーディオ出力信号に変換され得る信号を含む。第１および第２の合成オーディオ信号１２０、１２２は、第１および第２のＡＭ／ＦＭチューナ１０２、１０４によって別々に生成され、それぞれは、別々の周波数の設定にチューニングされ得る。
【００４９】
第１のＲＤＳデコーダ１２４は、第１のＡＭ／ＦＭチューナ１０２の第１の合成オーディオ出力１２０に接続され得る。さらに、第２のＲＤＳデコーダ１２６は、第２のＡＭ／ＦＭチューナ１０４の第２の合成オーディオ出力１２２に接続され得る。第１および第２のＲＤＳデコーダ１２４、１２６は、コントロールユニット１０８が所望されるプログラムもしくは周波数の設定に第１および第２のＡＭ／ＦＭチューナ１０２、１０４を正確にチューニングすることを可能にする。特に、第１および第２のＲＤＳデコーダ１２４、１２６は、多くの代替の周波数を用いてコントロールユニット１０８が、送信ネットワークの局に第１および第２のＡＭ／ＦＭチューナ１０２、１０４をチューニングする補助をし得る。受信アンテナ１０６によって受け取られるラジオ信号は、ＲＤＳデータを含み得る。しかしながら、すべてのプログラムサービスプロバイダが、ＲＤＳデータを提供し得るわけではない。詳細には示されていないが、本発明の他の例において、第１および第２のＲＤＳデコーダ１２４、１２６は、デュアルオーディオデジタル信号プロセッサ１１８の一部として組み込まれ得る。加えて、１つのＲＤＳデコーダだけが、他の例において用いられ得て、第１および第２のＡＭ／ＦＭチューナ１０２、１０４からのオーディオ信号は、単一のＲＤＳデコーダに向けられ得る。
【００５０】
第１および第２のＲＤＳデコーダ１２４、１２６は、コントロールユニット１０８がプログラムサービスネーム、送信周波数を決定し、またそれぞれの局もしくは周波数に関連付けられた他のタイプのラジオデータを決定することを可能にする。このことは、コントロールユニット１０８が、第１および第２のＡＭ／ＦＭチューナ１０２、１０４を１０００分の数秒内で再びチューニングすることが可能なように動作可能である。このプロセスの間、オーディオ信号は、コントロールユニット１０８によってミュートされ得るが、短い間なので、人間の耳によって検出されえない。したがって、ラジオ受信機１００は、多くの代替から最高の送信周波数を選び得て、このことは、最高の受信の品質を与える。切り替えは、またプログラム識別コードを用いて識別チェックを実行することによって正確に同じプログラムサービスにされることを確実にする。道路コンディションもしくは事故警報といった旅行情報が、また第１および第２のＲＤＳデコーダ１２４、１２６によって受け取られるＲＤＳデータによって提供され得る。
【００５１】
第１のＲＤＳデコーダ１２４の第１のＲＤＳ情報出力１２８は、コントロールユニット１０８に接続され得る。第１のＲＤＳデコーダ１２４は、第１のＡＭ／ＦＭチューナ１０２によって受け取られるＲＤＳデータ、また第１のＡＭ／ＦＭチューナ１０２の周波数の設定に関連付けられたＲＤＳデータをコントロールユニット１０８に提供し得る。第１のＲＤＳ情報出力１２８は、また第１のＲＤＳデコーダ１２４によって受け取られるＲＤＳデータを表示し得るディスプレイ１３０に接続され得る。第２のＲＤＳデコーダ１２６の第２のＲＤＳ情報出力１３２は、またコントロールユニット１０８に接続され得る。第２のＲＤＳデコーダ１２６は、第２のＡＭ／ＦＭチューナ１０４によって受け取られるＲＤＳデータ、また第２のＡＭ／ＦＭチューナ１０４の周波数の設定に関連付けられたＲＤＳデータをコントロールユニット１０８に提供し得る。詳細には示されていないが、第２のＲＤＳ情報出力１３２は、またディスプレイ１３０に接続され得る。
【００５２】
簡潔に上述されたが、ラジオ受信機１００のコントロールユニット１０８は、またディスプレイ１３０に接続され得る。ディスプレイ１３０は、チャンネル／チューニング情報、ボリューム情報、ＲＤＳデータ、スピーカバランス情報、イコライザ情報、時間、日付、温度およびラジオ受信機ディスプレイ上に一般に表示されるさまざまなタイプのデータを表示するため用いられ得る。コントロールユニット１０８は、またユーザがラジオ受信機１００を制御することを可能にする入力デバイス１３４に接続され得る。入力デバイス１３４は、ラジオ受信機１００のユーザがさまざまなチャンネルに第１および第２のＡＭ／ＦＭチューナ１０２、１０４をチューニングし、さまざまなリスニングオプション（スピーカバランス、イコライザ設定等）を変更し、ボリュームを調整することを他の制御および動作に関連する機能と同様可能にし得る。
【００５３】
デュアルオーディオＤＳＰ１１８は、第１のオーディオ電力増幅器１３６と第２のオーディオ電力増幅器１３８とに接続され得る。図１に示されるように、デュアルオーディオＤＳＰ１１８の第１のオーディオ出力１４０は、第１のオーディオ電力増幅器１３６の入力に接続され得る。デュアルオーディオＤＳＰ１１８の第１のオーディオ出力１４０は、第１のオーディオ電力増幅器１３６に第１のＡＭ／ＦＭチューナ１０２から受け取られるオーディオ信号を提供し得る。したがって、第１のＡＭ／ＦＭ１０２がチューニングされている局もしくは周波数は、第１のオーディオ出力１４０を通じてオーディオ信号を提供し得る。加えて、第１のＡＭ／ＦＭチューナ１０２から受け取られるＲＤＳデータは、ディスプレイ１３０上に表示され得る。
【００５４】
デュアルオーディオＤＳＰ１１８の第２のオーディオ出力１４２は、第２のオーディオ電力増幅器１３８の入力に接続され得る。第１のオーディオ電力増幅器１３６の出力は、スピーカおよびスピーカシステム１４４といったオーディオ出力デバイスに接続され得る。第１のオーディオ電力増幅器１３６の出力は、またヘッドホンジャックにも同様に接続され得る。デュアルオーディオＤＳＰ１１８の第２のオーディオ出力１４２は、第２のオーディオ電力増幅器１３８に第２のＡＭ／ＦＭチューナ１０４から受け取られるオーディオ信号を提供する。第２のオーディオ電力増幅器１３８の出力は、またヘッドホンジャック、スピーカおよびスピーカシステム、もしくはスピーカシステムに接続され得る。第１および第２のオーディオ電力増幅器１３６、１３８の出力は、ヘッドホンジャック、スピーカおよびスピーカシステム、もしくはスピーカシステムといった異なるタイプのオーディオ出力デバイスに接続され得ることは認識されるべきである。加えて、各チューナは、それ自身のオーディオ増幅器を必要とする。したがって、２つより多いチューナを有するラジオ受信機では、追加の増幅器が必要とされ得る。
【００５５】
図２は、動作中のラジオ受信機１００のコントロールユニット１０８によって実行され得るプロセスステップの一部の例を示すフローチャートである。ステップ２００で、コントロールユニット１０８は、ラジオ受信機１００の入力デバイス１３４を用いるユーザによってエントリし得るチューニング入力を受け取り得る。ステップ２０２に示されるが、コントロールユニット１０８は、それからユーザが第１のＡＭ／ＦＭチューナ１０２もしくは第２のＡＭ／ＦＭチューナ１０４を調整することを所望するかどうかを決定し得る。入力デバイス１３４は、また２つの異なる入力デバイス、（すなわち、ユーザが第１および第２のＡＭ／ＦＭチューナ１０２、１０４の周波数を調整することを可能にするダイアル）を有し得る。
【００５６】
コントロールユニット１０８は、ユーザが第１のＡＭ／ＦＭチューナ１０２の周波数の設定を調整することを所望すると決定するとき、ステップ２０４で、コントロールユニット１０８は、ユーザによって所望される周波数の設定に第１のＡＭ／ＦＭチューナ１０２の周波数の設定を調整し得る。同様に、コントロールユニット１０８が、ユーザが第２のＡＭ／ＦＭチューナ１０４の周波数の設定を調整することを所望すると決定するとき、ステップ２０６で、コントロールユニット１０８は、ユーザによって所望される周波数の設定に第２のＡＭ／ＦＭチューナ１０４の周波数の設定を調整し得る。ラジオ受信機１００は、ユーザが単一のラジオ受信機１００から１つより多いプログラムを聴取し得るように、２つより多い局もしくは周波数の設定にラジオ受信機１００を調整することを可能にする。２つのチューナは、ここで示され、議論されるが、２つより多いチューナがこの詳細によって開示されるラジオ受信機１００の他の例において使用され得ることは認識されるべきである。
【００５７】
ラジオ受信機１００のコントロールユニット１０８は、第１および第２のＡＭ／ＦＭチューナ１０２、１０４が選択されたプログラムもしくは周波数の設定に対して最高の信号品質を有する周波数の設定へチューニングされることを確実にすることを担う。信号品質は、電界の強さ、付近のチャンネル障害、多経路受信およびＲＤＳエラービット率等をチェックすることによって決定され得る。ステップ２０８で、コントロールユニット１０８は、第１のＡＭ／ＦＭチューナ１０２の信号品質をチェックし得る。ステップ２１０で表されるが、信号品質が、所定の品質のしきい値を下回るとき、コントロールユニット１０８は、ＲＤＳデータを用いる特定のプログラムもしくは局に対して代替の周波数の信号品質を評価し得る。許容される信号強度および品質レベルを有する代替の周波数が発見されたとき、ステップ２１２で、コントロールユニットは、そのそれぞれの代替の周波数に第１のＡＭ／ＦＭチューナ１０２を調整する。
【００５８】
第１のＡＭ／ＦＭチューナ１０２と同様に、ステップ２１４で、コントロールユニット１０８は、第２のＡＭ／ＦＭチューナ１０４の信号品質をチェックし得る。ステップ２１６で表されるが、第２のＡＭ／ＦＭチューナ１０４の信号品質が、所定のしきい値を下回るとき、コントロールユニット１０８は、ＲＤＳデータを用いるその特定のプログラムもしくは局に対して代替の周波数の信号品質を評価し得る。容認される信号強度および品質レベルを有する代替の周波数が発見されたとき、ステップ２１８で、コントロールユニットは、新しい周波数の設定に第２のＡＭ／ＦＭチューナ１０４を調整する。
【００５９】
ここで開示されるラジオ受信機１００は、単一のラジオユニットから複数のラジオ局を聴取する能力をリスナーに提供する。ラジオ受信機１００は、各リスナーが自分自身の局もしくはプログラムを聴取し得るように異なる局にチューニングされ得る複数のＡＭ／ＦＭチューナ１０２、１０４を含み得る。詳細には示されていないが、ここで開示される入力デバイス１３４は、すべてのチューナのボリューム調整、すべてのチューナのフェードおよびバランス調整およびすべてのチューナのイコライ調整等を含むと解釈され得る。
【００６０】
本発明のさまざまな実施形態が記載されてきたが、より多くの実施形態およびインプリメンテーションが本発明の範囲内で可能であることは当業者にとって明らかである。したがって、本発明は添付の請求項および均等物を含む。
【図面の簡単な説明】
【００６１】
【図１】複数のチューナを有するラジオ受信機のブロック図である。
【図２】図１で開示されるラジオ受信機によって実行される例示的処理の一部を示すフローチャートである。
【符号の説明】
【００６２】
１００  ラジオ受信機
１０２  第１の複数のＡＭ／ＦＭチューナ
１０４  第２の複数のＡＭ／ＦＭチューナ
１０６  アンテナ
１０８  コントロールユニット
１１０  第１のチューナコントロール出力
１１２  第２の信号品質出力  
１１４  第２のチューナコントロール出力
１１６  第２の信号品質出力
１１８  デュアルオーディオＤＳＰ
１２０  第１の合成オーディオ出力
１２２  第２の合成オーディオ出力
１２４  第１のＲＤＳデコーダ
１２６  第２のＲＤＳデコーダ
１２８  第１のＲＤＳ情報出力
１３０  ディスプレイ
１３２  第２のＲＤＳ情報出力
１３４  入力出力
１３６  第１のオーディオ電力増幅器
１３８  第２のオーディオ電力増幅器
１４０  第１のオーディオ出力
１４２  第２のオーディオ出力
【図１】
2005244990.tif 000003
【図２】
2005244990.tif 000004